(57)【要約】【課題】携帯端末の無駄な電力消費を低減することができる基地局、無線通信端末、及び通信方法を提供すること。【解決手段】フェムトセル基地局１００は、在圏している携帯端末でのＧＰＳ受信をオンするかオフするかの制御情報を生成するＧＰＳ受信制御情報生成部１１０と、ＧＰＳ受信制御情報を含んだＬＴＥの報知情報を生成するＬＴＥ報知情報生成部１２０とを備える。また、携帯端末２００は、検出したＧＰＳ受信制御情報の内容を解析し、ＧＰＳ受信をオフするかどうかを判定するＧＰＳ受信オフ判定部２５０と、ＧＰＳ受信オフ判定部２５０での判定がＧＰＳ受信オフの場合、ＧＰＳ受信をオフするＧＰＳ受信部２６０とを備える。【選択図】図３
2012023447.tif 000002
【特許請求の範囲】
【請求項１】
非セルラ無線受信制御情報を生成する非セルラ無線受信制御情報生成手段と、
前記非セルラ無線受信制御情報を含んだ報知情報を送信する送信手段と、
を備える基地局。
【請求項２】
前記非セルラ無線受信制御情報の内容を、非セルラ無線受信オン又はオフに設定する非セルラ無線受信制御情報設定手段をさらに備える、請求項１記載の基地局。
【請求項３】
前記非セルラ無線受信制御情報は、ＧＰＳ受信制御情報である、請求項１記載の基地局。
【請求項４】
前記非セルラ無線受信制御情報は、地上ディジタル放送受信制御情報である、請求項１記載の基地局。
【請求項５】
請求項１記載の基地局に無線接続する無線通信端末であって、
非セルラ無線信号を受信する非セルラ無線受信手段と、
前記基地局から前記報知情報を受信する報知情報受信手段と、
受信した前記報知情報に含まれる前記非セルラ無線受信制御情報を検出する非セルラ無線受信制御情報検出手段と、
検出した前記非セルラ無線受信制御情報に基づいて、前記非セルラ無線受信手段の受信をオフするか否かを判定する非セルラ無線受信判定手段と、
前記非セルラ無線受信をオフすると判定した場合に、前記非セルラ無線受信制御情報受信手段への電源供給をオフする非セルラ無線受信制御手段と、
を備える無線通信端末。
【請求項６】
前記非セルラ無線受信手段は、ＧＰＳ受信部である、請求項５記載の無線通信端末。
【請求項７】
前記非セルラ無線受信手段は、地上ディジタル放送受信部である、請求項５記載の無線通信端末。
【請求項８】
前記非セルラ無線受信制御情報は、ＧＰＳ受信制御情報である、請求項５記載の無線通信端末。
【請求項９】
前記非セルラ無線受信制御情報は、地上ディジタル放送受信制御情報である、請求項５記載の無線通信端末。
【請求項１０】
基地局において、
非セルラ無線受信制御情報を生成するステップと、
前記非セルラ無線受信制御情報を含んだ報知情報を送信するステップと、を有し、
無線通信端末において、
非セルラ無線信号を受信するステップと、
前記基地局から前記報知情報を受信するステップと、
受信した前記報知情報に含まれる前記非セルラ無線受信制御情報を検出するステップと、
検出した前記非セルラ無線受信制御情報に基づいて、前記非セルラ無線を受信する手段の受信をオフするか否かを判定するステップと、
前記非セルラ無線受信の受信をオフすると判定した場合に、前記非セルラ無線受信のための電源供給をオフするステップと、
を有する通信方法。 
【発明の詳細な説明】
【技術分野】
【０００１】
本発明は、基地局、無線通信端末、及び通信方法に関する。
【背景技術】
【０００２】
近年、ＧＰＳ（Global Positioning System）を代表とするＳＰＳ（Satellite Positioning System：衛星測位システム）の受信装置を搭載した車載用ナビゲーション装置やＳＰＳ受信機能付き携帯電話装置などのＳＰＳ受信装置搭載移動通信端末装置が実用化されている。衛星を利用する測位装置では、通常４個以上の衛星の信号を同時に受信し、搬送波を捕捉して拡散符号を追尾し、スペクトラム逆拡散処理を行って衛星信号から航法データを復調する。また航法データなどを用いて衛星が信号送信した時刻を算出して各衛星毎の擬似距離（衛星信号が測位装置に到達するのに要した時間）を求め、求めた擬似距離に基づいて測位装置の位置を決定する。このＧＰＳの特徴として、移動通信システムにおける基地局との位置関係を考慮することなく、移動端末の絶対的な位置を比較的高精度に求めることができる。
【０００３】
特許文献１には、携帯電話装置での直接的なＧＰＳ情報の受信状態が悪くても無線通信を利用してＧＰＳ情報を有効に活用できる携帯電話システムが記載されている。
【０００４】
図１は、特許文献１記載の携帯電話システムの携帯電話装置の構成を示すブロック図である。
【０００５】
図１に示すように、携帯電話装置１０は、携帯アンテナ１、表示部２、無線部３、操作部４、制御部５、ＧＰＳ装置６、及びＧＰＳアンテナ７を備える。
【０００６】
制御部５は、無線通信が間欠待ち受け状態である場合にのみＧＰＳ装置６に対する電源供給を間欠的に行う。ＧＰＳ装置６は電源供給間欠制御により電源が間欠的にオン状態となる。
【０００７】
図２は、上記携帯電話装置１０の動作を示すタイミングチャートである。
【０００８】
図２に示すように、ＧＰＳ正常受信状態からＧＰＳ受信不可状態に遷移し、所定時間以上ＧＰＳが受信できない場合、制御部５はＧＰＳ装置６への電源供給間欠制御のオフ時間を長くし、無駄な電力消費を低減していた（節約モード）。
【０００９】
一方、一般家庭又はオフィスなどの建物内において、セル半径が数十メートル以下の狭小セル（フェムトセル：Femto Cell）をカバー範囲とする無線通信基地局装置（フェムトセル基地局、又はＨｏｍｅ  Ｎｏｄｅ−Ｂ等と称される。以下、「フェムトセル基地局」又は「ＨＮＢ」と記す。）の設置が検討されている。
【００１０】
３ＧＰＰ（3rd Generation Partnership Project）ＬＴＥ（Long term evolution）で検討されているフェムトセル基地局は、例えば、家庭に設置された場合、その家の家族だけにアクセスを制限するなどのように、限られたグループメンバーにだけアクセスを許可することも検討されている。このようなセルはアクセス限定セル（CSG cell: Closed Service Group cell）と呼ばれることもある。
【００１１】
また、アクセスが許可された携帯端末であるＵＥ（User Equipment)は、フェムトセル基地局に優先的に接続する。すなわち、ＵＥがフェムトセル基地局のエリアに入った場合、フェムトセルよりもセル半径が大きい既存の基地局（以下、「マクロセル」又は「マクロ基地局」と記す。）の電波を受信できたとしても、優先的に小セル無線通信基地局装置に接続する。
【先行技術文献】
【特許文献】
【００１２】
【特許文献１】特開２００１−３０９４１８号公報
【発明の概要】
【発明が解決しようとする課題】
【００１３】
しかしながら、このような従来の携帯電話システムでは、携帯端末がＧＰＳ受信可能エリアから不可エリアに入ったとき、所定時間以上経過しないと節約モードに移行しないため、その間ＧＰＳ装置６で無駄に電力を消費してしまうという課題があった。
【００１４】
また、ＧＰＳ受信不可エリアにいる場合でも、ＧＰＳ装置６の電源を完全にはオフできず、一定周期で電源オンする必要があるため、ＧＰＳ装置６で無駄に電力を消費してしまうという課題があった。
【００１５】
本発明の目的は、携帯端末の無駄な電力消費を低減することができる基地局、無線通信端末、及び通信方法を提供することである。
【課題を解決するための手段】
【００１６】
本発明の基地局は、非セルラ無線受信制御情報を生成する非セルラ無線受信制御情報生成手段と、前記非セルラ無線受信制御情報を含んだ報知情報を送信する送信手段と、を備える構成を採る。
【００１７】
本発明の無線通信端末は、上記基地局に無線接続する無線通信端末であって、非セルラ無線信号を受信する非セルラ無線受信手段と、前記基地局から前記報知情報を受信する報知情報受信手段と、受信した前記報知情報に含まれる前記非セルラ無線受信制御情報を検出する非セルラ無線受信制御情報検出手段と、検出した前記非セルラ無線受信制御情報に基づいて、前記非セルラ無線受信手段の受信をオフするか否かを判定する非セルラ無線受信判定手段と、前記非セルラ無線受信をオフすると判定した場合に、前記非セルラ無線受信制御情報受信手段への電源供給をオフする非セルラ無線受信制御手段と、を備える構成を採る。
【００１８】
本発明の通信方法は、基地局において、非セルラ無線受信制御情報を生成するステップと、前記非セルラ無線受信制御情報を含んだ報知情報を送信するステップと、を有し、無線通信端末において、非セルラ無線信号を受信するステップと、前記基地局から前記報知情報を受信するステップと、受信した前記報知情報に含まれる前記非セルラ無線受信制御情報を検出するステップと、検出した前記非セルラ無線受信制御情報に基づいて、前記非セルラ無線を受信する手段の受信をオフするか否かを判定するステップと、前記非セルラ無線受信の受信をオフすると判定した場合に、前記非セルラ無線受信のための電源供給をオフするステップと、を有する。
【発明の効果】
【００１９】
本発明によれば、基地局はＧＰＳ受信制御情報を含んだ報知情報を送信し、無線通信端末は報知情報を受信し、ＧＰＳ受信部への電源供給を制御することにより、無駄な電力消費を低減できる携帯端末を提供することができる。
【図面の簡単な説明】
【００２０】
【図１】従来の携帯電話システムの携帯電話装置の構成を示すブロック図
【図２】従来の携帯電話システムの携帯電話装置の動作を示すタイミング図
【図３】本発明の実施の形態１に係る通信システムの構成を示すブロック図
【図４】上記実施の形態１に係る通信システムのマクロセル基地局、フェムトセル基地局、及び携帯端末の動作を示す制御シーケンス図
【図５】上記実施の形態１に係る通信システムの携帯端末のＧＰＳ受信オフ判定部によるＧＰＳ受信オフ判定処理を示すフロー図
【図６】本発明の実施の形態２に係る通信システムのフェムトセル基地局の構成を示すブロック図
【図７】上記実施の形態２に係る通信システムのマクロセル基地局、フェムトセル基地局、及び携帯端末の動作を示す制御シーケンス図
【発明を実施するための形態】
【００２１】
以下、本発明の実施の形態について図面を参照して詳細に説明する。
【００２２】
（実施の形態１）
図３は、本発明の実施の形態１に係る通信システムの構成を示すブロック図である。図３においては、報知情報に直接関係しない機能ブロックの記載は省略されている。
【００２３】
本実施の形態では、基地局がフェムトセル基地局、非セルラ無線がＧＰＳ、セルラ無線が第３世代移動通信システムの長期的高度化システムであるＬＴＥの例で説明する。
【００２４】
図３に示すように、通信システムは、フェムトセル基地局１００と、フェムトセル基地局１００に無線接続する携帯端末２００とを備える。
【００２５】
[フェムトセル基地局１００]
フェムトセル基地局１００は、ＧＰＳ受信制御情報生成部１１０、ＬＴＥ報知情報生成部１２０、ＬＴＥ符号化・変調部１３０、及びＬＴＥ無線送信部１４０を備える。
【００２６】
ＧＰＳ受信制御情報生成部１１０は、在圏している携帯端末でのＧＰＳ受信をオンするかオフするかの制御情報を生成する。
【００２７】
ＬＴＥ報知情報生成部１２０は、ＧＰＳ受信制御情報を含んだＬＴＥの報知情報を生成する。
【００２８】
ＬＴＥ符号化・変調部１３０は、ＬＴＥ報知情報を符号化及び変調する。
【００２９】
ＬＴＥ無線送信部１４０は、符号化及び変調した信号をＬＴＥの無線で送信する。
【００３０】
[携帯端末２００]
携帯端末２００は、ＬＴＥ無線受信部２１０、ＬＴＥ復調・復号部２２０、ＬＴＥ報知情報検出部２３０、ＧＰＳ受信制御情報検出部２４０、ＧＰＳ受信オフ判定部２５０、及びＧＰＳ受信部２６０を備える。
【００３１】
ＬＴＥ無線受信部２１０は、ＬＴＥの無線を受信する。
【００３２】
ＬＴＥ復調・復号部２２０は、受信した信号を復調及び復号する。
【００３３】
ＬＴＥ報知情報検出部２３０は、復号した情報の中から報知情報を検出する。
【００３４】
ＧＰＳ受信制御情報検出部２４０は、検出した報知情報の中からＧＰＳ受信制御情報を検出する。
【００３５】
ＧＰＳ受信オフ判定部２５０は、検出したＧＰＳ受信制御情報の内容を解析し、ＧＰＳ受信をオフするかどうかを判定する。
【００３６】
ＧＰＳ受信部２６０は、ＧＰＳ受信オフ判定部２５０での判定がＧＰＳ受信オフの場合、ＧＰＳ受信をオフする。
【００３７】
以下、上述のように構成された通信システムの動作について説明する。
【００３８】
図４は、通信システムのマクロセル基地局３００、フェムトセル基地局１００、及び携帯端末２００の動作を示す制御シーケンス図である。また、図４左欄は、携帯端末２００のセル在圏状態を、図４右欄は、携帯端末２００のＧＰＳ受信部２６０電源状態を示している。
【００３９】
図４の動作シーケンス例は、携帯端末２００が移動することにより、携帯端末２００のセル在圏状態が、初めはマクロセル在圏で、次にフェムトセル基地局１００のフェムトセル在圏に移行し、最後に再びマクロセル在圏と移行する場合である。
【００４０】
ここでは、ＧＰＳ受信制御情報がＳＩＢ２（System Information Block 2）と呼ばれるシステム情報ブロックを含む報知情報を用いて、１６０ｍｓ間隔で送信される例で説明する。
【００４１】
図４に示すように、初めに携帯端末２００がマクロセルに在圏しているとき、マクロセル基地局３００は、報知情報を送信する（図４ａ．参照）。
【００４２】
携帯端末２００は、ＬＴＥ無線受信部２１０が、マクロセル基地局３００が送信した報知情報を受信する。ＬＴＥ復調・復号部２２０が、受信した信号を復調及び復号し、ＬＴＥ報知情報検出部２３０が、復号した情報の中から報知情報を検出する。そして、ＧＰＳ受信制御情報検出部２４０は、検出した報知情報の中からＧＰＳ受信制御情報を検出する。ＧＰＳ受信オフ判定部２５０は、ＧＰＳ受信制御情報検出部２４０により検出された報知情報に基づいて、ＧＰＳ受信オフ判定処理（図５）を行う。
【００４３】
図５は、ＧＰＳ受信オフ判定部２５０によるＧＰＳ受信オフ判定処理を示すフローチャートである。
【００４４】
まず、ＧＰＳ受信制御情報含有判定ステップＳ１で、ＧＰＳ受信オフ判定部２５０は、検出した報知情報にＧＰＳ受信制御情報が含まれているかどうかを判定する。図４ｂ．に示すように、マクロセル基地局３００からの報知情報にはＧＰＳ受信制御情報は含まれていないため、ＧＰＳ受信制御情報含有判定ステップＳ１の判定結果はＮＯとなる。
【００４５】
ＧＰＳ受信制御情報含有判定ステップＳ１の判定結果がＮＯの場合、ステップＳ３に進む。ステップＳ３では、ＧＰＳ受信部２６０は電源オンとなる。この場合、図４の携帯端末２００のＧＰＳ受信部２６０電源状態に示すように、すでにＧＰＳ受信部２６０の電源はオンであるため、特に何も行わず終了となる。
【００４６】
図４の動作シーケンス例に戻って、次に携帯端末２００がフェムトセル基地局１００のフェムトセル在圏に移行したとき、フェムトセル基地局１００は、報知情報を送信する（図４ｃ．−ｆ．参照）。
【００４７】
携帯端末２００は、フェムトセル基地局１００が送信した報知情報を受信し、ＧＰＳ受信オフ判定部２５０はＧＰＳ受信制御情報検出部２４０が検出した報知情報について、ＧＰＳ受信オフ判定処理（図５）を行う。
【００４８】
図５のＧＰＳ受信オフ判定処理において、まずＧＰＳ受信制御情報含有判定ステップＳ１で、ＧＰＳ受信オフ判定部２５０は、検出した報知情報にＧＰＳ受信制御情報が含まれているかどうかを判定する。図４ｃ．−ｆ．に示すように、フェムトセル基地局１００からの報知情報にはＧＰＳ受信制御情報が含まれているため、ＧＰＳ受信制御情報含有判定ステップＳ１の判定結果はＹＥＳとなる。
【００４９】
ＧＰＳ受信オフ判定ステップＳ２で、ＧＰＳ受信オフ判定部２５０は、報知情報に含まれるＧＰＳ受信制御情報がＧＰＳ受信オフかどうかを判定する。図４ｃ．−ｆ．に示すように、ＧＰＳ受信制御情報はＧＰＳ受信オフのため、ＧＰＳ受信オフ判定ステップＳ２の判定結果はＹＥＳとなる。
【００５０】
ＧＰＳ受信オフ判定ステップＳ２の判定結果がＹＥＳの場合、ステップＳ４に進む。ステップＳ４では、ＧＰＳ受信部２６０は電源オフとなる。このため、携帯端末２００のＧＰＳ受信オフ判定部２５０は、ＧＰＳ受信部２６０への電源供給をオフするように制御する。これにより、図４の携帯端末２００のＧＰＳ受信部２６０電源状態に示すように、携帯端末２００のＧＰＳ受信部電源状態はＧＰＳ受信オフとなる。
【００５１】
さらに、携帯端末２００が再びマクロセル在圏に移行したとき、マクロセル基地局３００は、報知情報を送信する（図４ｇ．参照）。携帯端末２００は、マクロセル基地局３００が送信した報知情報を受信し、ＧＰＳ受信オフ判定部２５０はＧＰＳ受信制御情報検出部２４０が検出した報知情報について、ＧＰＳ受信オフ判定処理（図５）を行う。
【００５２】
図５のＧＰＳ受信オフ判定処理において、まずＧＰＳ受信制御情報含有判定ステップＳ１で、ＧＰＳ受信オフ判定部２５０は、検出した報知情報にＧＰＳ受信制御情報が含まれているかどうかを判定する。図４ｇ．に示すように、マクロセル基地局３００からの報知情報にはＧＰＳ受信制御情報は含まれていないため、ＧＰＳ受信制御情報含有判定ステップＳ１の判定結果はＮＯとなる。
【００５３】
ＧＰＳ受信制御情報含有判定ステップＳ１の判定結果がＮＯの場合、ステップＳ３に進む。ステップＳ３では、ＧＰＳ受信部２６０は電源オンとなるため、携帯端末２００のＧＰＳ受信オフ判定部２５０はＧＰＳ受信部２６０への電源供給をオンするように制御する。これにより、図４の携帯端末２００のＧＰＳ受信部２６０電源状態に示すように、携帯端末２００のＧＰＳ受信部電源状態はＧＰＳ受信オンとなる。
【００５４】
以上詳細に説明したように、本実施の形態によれば、フェムトセル基地局１００は、在圏している携帯端末でのＧＰＳ受信をオンするかオフするかの制御情報を生成するＧＰＳ受信制御情報生成部１１０と、ＧＰＳ受信制御情報を含んだＬＴＥの報知情報を生成するＬＴＥ報知情報生成部１２０とを備える。また、携帯端末２００は、検出したＧＰＳ受信制御情報の内容を解析し、ＧＰＳ受信をオフするかどうかを判定するＧＰＳ受信オフ判定部２５０と、ＧＰＳ受信オフ判定部２５０での判定がＧＰＳ受信オフの場合、ＧＰＳ受信をオフするＧＰＳ受信部２６０とを備える。
【００５５】
フェムトセル基地局１００は、ＧＰＳ受信制御情報を含んだ報知情報を送信する。携帯端末２００は、フェムトセル基地局１００の報知情報を受信し、ＧＰＳ受信制御情報検出部２４０でＧＰＳ受信制御情報が含まれているかどうかを判定する。ＧＰＳ受信オフ判定部２５０は、ＧＰＳ受信制御情報が含まれている場合は、ＧＰＳ受信制御情報がＧＰＳ受信オフかどうかを判定し、ＧＰＳ受信部２６０への電源供給を制御する。具体的には、携帯端末２００は、フェムトセル基地局１００からの報知情報を受信し、ＧＰＳ受信制御情報が含まれているかどうかを判断する。ＧＰＳ受信制御情報が含まれていて、かつその内容がＧＰＳ受信オフの場合は、ＧＰＳ受信部２６０の電源をオフし、そうでない場合は、ＧＰＳ受信部２６０の電源をオンする。
【００５６】
このように、フェムトセル基地局１００はＧＰＳ受信制御情報を含んだ報知情報を送信し、また、携帯端末２００はフェムトセル基地局１００の報知情報を受信し、ＧＰＳ受信制御情報検出部２４０でＧＰＳ受信制御情報が含まれているかどうかを判定し、含まれている場合はＧＰＳ受信オフ判定部２５０でＧＰＳ受信制御情報がＧＰＳ受信オフかどうかを判定することにより、ＧＰＳ受信部２６０への電源供給を制御するので、無駄な電力消費を低減することができる。
【００５７】
特に、携帯端末２００がＧＰＳ受信可能エリアから不可エリアに入ったとき、所定時間以上経過しなくても節約モードに移行することができる。また、ＧＰＳ受信不可エリアにいる場合でもＧＰＳ受信部２６０の電源を完全にオフすることができる。
【００５８】
（実施の形態２）
図６は、本発明の実施の形態２に係る通信システムのフェムトセル基地局の構成を示すブロック図である。図３と同一構成部分には同一符号を付して重複箇所の説明を省略する。
【００５９】
本実施の形態では、基地局がフェムトセル基地局、非セルラ無線がＧＰＳ、セルラ無線が第３世代移動通信システムの長期的高度化システムであるＬＴＥの例で説明する。
【００６０】
本発明の実施の形態２における通信システムの基本的な構成及び動作は、実施の形態１と同様である。実施の形態２のフェムトセル基地局４００は、図３の通信システムのフェムトセル基地局１００に代えて適用される。
【００６１】
図６に示すように、通信システムは、フェムトセル基地局４００と、フェムトセル基地局４００に無線接続する携帯端末２００とを備える。
【００６２】
フェムトセル基地局４００は、ＧＰＳ受信制御情報設定部４１０、ＧＰＳ受信制御情報生成部４２０、ＬＴＥ報知情報生成部１２０、ＬＴＥ符号化・変調部１３０、及びＬＴＥ無線送信部１４０を備える。
【００６３】
ＧＰＳ受信制御情報設定部４１０は、在圏している携帯端末でのＧＰＳ受信をオンするかオフするかを設定する。
【００６４】
ＧＰＳ受信制御情報生成部４２０は、ＧＰＳ受信制御情報設定部４１０で設定したＧＰＳ受信をオンするかオフするかの制御情報を生成する。
【００６５】
以下、上述のように構成された通信システムの動作について説明する。
【００６６】
図７は、通信システムのマクロセル基地局３００、フェムトセル基地局４００、及び携帯端末２００の動作を示す制御シーケンス図である。また、図７左欄は、携帯端末２００のセル在圏状態を、図７右欄は、携帯端末２００のＧＰＳ受信部２６０電源状態を示している。
【００６７】
図７の動作シーケンス例は、携帯端末２００が移動することにより、携帯端末２００のセル在圏状態が、初めはマクロセル在圏で、次にフェムトセル基地局４００のフェムトセル在圏に移行し、最後に再びマクロセル在圏と移行する場合で、かつフェムトセル在圏中に、フェムトセル基地局４００のＧＰＳ受信制御情報の設定をＧＰＳ受信オフからＧＰＳ受信オンに切り替えた場合である。
【００６８】
ここでは、ＧＰＳ受信制御情報がＳＩＢ２と呼ばれるシステム情報ブロックを含む報知情報を用いて、１６０ｍｓ間隔で送信される例で説明する。
【００６９】
図７に示すように、初めに携帯端末２００がマクロセルに在圏しているとき、マクロセル基地局３００は報知情報を送信する（図７ａ．参照）。
【００７０】
携帯端末２００は、マクロセル基地局３００が送信した報知情報を受信し、ＧＰＳ受信オフ判定部２５０はＧＰＳ受信制御情報検出部２４０が検出した報知情報について、ＧＰＳ受信オフ判定処理（前記図５）を行う。
【００７１】
前記図５のＧＰＳ受信オフ判定処理フローにおいて、まず、ＧＰＳ受信制御情報含有判定ＧＰＳ受信制御情報含有判定ステップＳ１で、検出した報知情報にＧＰＳ受信制御情報が含まれているかどうかを判定する。図７ｂ．に示すように、マクロセル基地局３００からの報知情報にはＧＰＳ受信制御情報は含まれていないため、ＧＰＳ受信制御情報含有判定ステップＳ１の判定結果はＮＯとなる。
【００７２】
ＧＰＳ受信制御情報含有判定ステップＳ１の判定結果がＮＯの場合、ステップＳ３に進む。ステップＳ３では、ＧＰＳ受信部電源オンとなる。この場合、図７の携帯端末２００のＧＰＳ受信部２６０電源状態に示すように、すでにＧＰＳ受信部２６０の電源はオンであるため、特に何も行わず終了となる。
【００７３】
図７の動作シーケンス例に戻って、次に携帯端末２００がフェムトセル基地局４００のフェムトセル在圏に移行したとき、フェムトセル基地局４００は報知情報を送信する（図７ｃ．ｄ．参照）。
【００７４】
携帯端末２００は、フェムトセル基地局４００が送信した報知情報を受信し、ＧＰＳ受信オフ判定部２５０でＧＰＳ受信制御情報検出部２４０が検出した報知情報について、ＧＰＳ受信オフ判定処理（前記図５）を行う。
【００７５】
前記図５のＧＰＳ受信オフ判定処理において、まずＧＰＳ受信制御情報含有判定ステップＳ１で、ＧＰＳ受信オフ判定部２５０は、検出した報知情報にＧＰＳ受信制御情報が含まれているかどうかを判定する。図７ｃ．ｄ．に示すように、フェムトセル基地局４００からの報知情報にはＧＰＳ受信制御情報が含まれていないため、ＧＰＳ受信制御情報含有判定ステップＳ１の判定結果はＮＯとなる。
【００７６】
ＧＰＳ受信制御情報含有判定ステップＳ１の判定結果がＮＯの場合、ステップＳ３に進む。ステップＳ３では、ＧＰＳ受信部２６０は電源オンとなる。しかし、図７の携帯端末２００のＧＰＳ受信部２６０電源状態に示すように、すでにＧＰＳ受信部２６０の電源はオンであるため、特に何も行わず終了となる。
【００７７】
この後、フェムトセル基地局４００は、ＧＰＳ受信制御情報設定変更を行う（図７ｅ．参照）。具体的には、フェムトセル基地局４００のＧＰＳ受信制御情報設定部４１０は、ＧＰＳ受信制御情報設定変更として、ＧＰＳ受信制御情報の設定をＧＰＳ受信オフからＧＰＳ受信オンに切り替える。
【００７８】
切り替え後、フェムトセル基地局４００は報知情報を送信する（図７ｆ．参照）。
【００７９】
携帯端末２００は、フェムトセル基地局４００が送信した報知情報を受信し、ＧＰＳ受信オフ判定部２５０はＧＰＳ受信制御情報検出部２４０が検出した報知情報について、ＧＰＳ受信オフ判定処理（前記図５）を行う。
【００８０】
前記図５のＧＰＳ受信オフ判定処理において、まずＧＰＳ受信制御情報含有判定ステップＳ１で、ＧＰＳ受信オフ判定部２５０は、検出した報知情報にＧＰＳ受信制御情報が含まれているかどうかを判定する。図７ｇ．に示すように、フェムトセル基地局４００からの報知情報にはＧＰＳ受信制御情報が含まれているため、ＧＰＳ受信制御情報含有判定ステップＳ１の判定結果はＹＥＳとなる。
【００８１】
次にＧＰＳ受信オフ判定ステップＳ２で、ＧＰＳ受信オフ判定部２５０は、報知情報に含まれるＧＰＳ受信制御情報がＧＰＳ受信オフかどうかを判定する。図７ｇ．に示すように、ＧＰＳ受信制御情報はＧＰＳオンのため、ＧＰＳ受信オフ判定ステップＳ２の判定結果はＮＯとなる。
【００８２】
ＧＰＳ受信オフ判定ステップＳ２の判定結果がＮＯの場合、ステップＳ３に進む。ステップＳ３では、ＧＰＳ受信部２６０は電源オンとなるため、携帯端末２００のＧＰＳ受信オフ判定部２５０はＧＰＳ受信部２６０への電源供給をオンするように制御する。これにより、図７の携帯端末２００のＧＰＳ受信部２６０電源状態に示すように、携帯端末２００のＧＰＳ受信部電源状態はＧＰＳ受信オンとなる。
【００８３】
最後に、携帯端末２００が再びマクロセル在圏に移行したとき、マクロセル基地局３００は報知情報を送信する（図７ｈ．参照）。
【００８４】
携帯端末２００は、マクロセル基地局３００が送信した報知情報を受信し、ＧＰＳ受信オフ判定部２５０でＧＰＳ受信制御情報検出部２４０が検出した報知情報について、ＧＰＳ受信オフ判定処理（図５）を行う。
【００８５】
前記図５のＧＰＳ受信オフ判定処理において、まずＧＰＳ受信制御情報含有判定ステップＳ１で、ＧＰＳ受信オフ判定部２５０は、検出した報知情報にＧＰＳ受信制御情報が含まれているかどうかを判定する。
【００８６】
図７ｈ．に示すように、マクロセル基地局３００からの報知情報にはＧＰＳ受信制御情報は含まれていないため、ＧＰＳ受信制御情報含有判定ステップＳ１の判定結果はＮＯとなる。
【００８７】
ＧＰＳ受信制御情報含有判定ステップＳ１の判定結果がＮＯの場合、ステップＳ３に進む。ステップＳ３では、ＧＰＳ受信部２６０は電源オンとなるが、すでにＧＰＳ受信部２６０の電源はオンであるため、特に何も行わず終了となる。
【００８８】
実施の形態２によれば、フェムトセル基地局４００は、在圏している携帯端末でのＧＰＳ受信をオンするかオフするかを設定するＧＰＳ受信制御情報設定部４１０と、ＧＰＳ受信制御情報設定部４１０で設定したＧＰＳ受信をオンするかオフするかの制御情報を生成するＧＰＳ受信制御情報生成部４２０とを備える。
【００８９】
ＧＰＳ受信制御情報設定部４１０は、ＧＰＳ受信制御情報の内容を、ＧＰＳ受信オン又はオフに設定することができる。フェムトセル基地局４００が送信するＧＰＳ受信制御情報の内容を、自由に設定できるため、設置場所や目的に合わせて最適な設定を行うことができる。
【００９０】
以上の説明は本発明の好適な実施の形態の例証であり、本発明の範囲はこれに限定されることはない。
【００９１】
例えば、上記各実施の形態では、基地局がフェムトセル基地局、非セルラ無線がＧＰＳ、セルラ無線がＬＴＥの例で説明したが、基地局はピコセルやマイクロセル、ＩＭＣＳ（Inbuilding Mobile Communication System）等であっても構わない。また、非セルラ無線は地上ディジタルテレビ放送等であっても構わない。さらにセルラ無線は、Ｗ−ＣＤＭＡ（Wideband Code Division Multiple Access）やＣＤＭＡ２０００、ＰＨＳ（Personal Handy-phone System）等であっても構わない。また、本実施の形態では、ＧＰＳ受信制御情報がＳＩＢ２と呼ばれるシステム情報ブロックを含む報知情報を用いて、１６０ｍｓ間隔で送信される例で説明したが、ＳＩＢ２以外のシステム情報ブロック等であっても構わない。
【００９２】
また、上記各実施の形態では、フェムトセル基地局からＧＰＳ受信制御情報を含んだ報知情報を送信する例で説明したが、ＧＰＳ受信制御情報に加えてフェムトセル基地局の位置情報を含んだ報知情報を送信してもよい。
【００９３】
上記各実施の形態では、フェムトセル基地局、携帯端末、通信システム及び通信方法という名称を用いたが、これは説明の便宜上であり、装置は移動通信システム，基地局装置，無線通信端末、方法は通信制御方法等であってもよい。
【００９４】
さらに、上記フェムトセル基地局及び携帯端末を構成する各構成部、例えば送受信部の種類、認証方法などは前述した実施の形態に限られない。
【００９５】
上記各実施の形態では、本発明をハードウェアで構成する場合を例にとって説明したが、本発明はソフトウェアで実現することも可能である。
【００９６】
また、上記各実施の形態の説明に用いた各機能ブロックは、典型的には集積回路であるＬＳＩとして実現される。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００９７】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【００９８】
さらには、半導体技術の進歩又は派生する別技術によりＬＳＩに置き換わる集積回路化の技術が登場すれば、当然、その技術を用いて機能ブロックの集積化を行ってもよい。例えば、バイオ技術の適用等が可能である。
【産業上の利用可能性】
【００９９】
本発明の基地局、無線通信端末、及び通信方法は、携帯端末の無駄な電力消費を低減できることから、地下街などＧＰＳや地上ディジタル放送の受信が不可能なエリアや、自宅など定期的なＧＰＳ受信動作が不要なエリア等に設置されるフェムトセル基地局等の用途に有用である。
【符号の説明】
【０１００】
１００，４００  フェムトセル基地局
１１０  ＧＰＳ受信制御情報生成部
１２０  ＬＴＥ報知情報生成部
１３０  ＬＴＥ符号化・変調部
１４０  ＬＴＥ無線送信部
２００  携帯端末
２１０  ＬＴＥ無線受信部
２２０  ＬＴＥ復調・復号部
２３０  ＬＴＥ報知情報検出部
２４０  ＧＰＳ受信制御情報検出部
２５０  ＧＰＳ受信オフ判定部
２６０  ＧＰＳ受信部
３００  マクロセル基地局
４１０  ＧＰＳ受信制御情報設定部
４２０  ＧＰＳ受信制御情報生成部
【図１】
2012023447.tif 000003
【図２】
2012023447.tif 000004
【図３】
2012023447.tif 000005
【図４】
2012023447.tif 000006
【図５】
2012023447.tif 000007
【図６】
2012023447.tif 000008
【図７】
2012023447.tif 000009